(57)【特許請求の範囲】
【請求項１】
導電性および可撓性を有するシート状体である振動体と、
前記振動体を挟んで互いに対向する位置に配置された絶縁性、空気透過性および弾性を有するシート状体である第１の緩衝材層および第２の緩衝材層と、
前記第１の緩衝材層を挟んで前記振動体に対向する位置に配置された導電性、空気透過性および可撓性を有するシート状体である第１の電極と、
前記第２の緩衝材層を挟んで前記振動体に対向する位置に配置された導電性、空気透過性および可撓性を有するシート状体である第２の電極と、
前記第１の電極を、前記第１の電極の前記第１の緩衝材層に対向しない側から覆うように配置された絶縁性を有するシート状体である第１のカバー層と、
前記第２の電極を、前記第２の電極の前記第２の緩衝材層に対向しない側から覆うように配置された絶縁性を有するシート状体である第２のカバー層と
を備え、
少なくとも前記第１のカバー層および前記第２のカバー層を含む複数の層の積層体の外縁端の全周と、前記外縁端の全周から所定距離だけ内側の境界線の全周との間の領域として画定される外縁領域内において一周する所定幅以上の帯状領域において、前記積層体に含まれる複数の層のうち互いに隣接する２枚の層の各々に関し、当該２枚の層が互いに固着され、
前記積層体の前記外縁端における強度は、前記積層体の前記帯状領域における強度より高い
静電型スピーカ。
【請求項２】
前記固着はヒートシールによる固着である
請求項１に記載の静電型スピーカ。
【請求項３】
前記積層体に含まれる複数の層のうち互いに隣接する２枚の層のうち少なくとも１組の２枚の層に関し、前記外縁端において固着が行われていない
請求項１または２に記載の静電型スピーカ。
【請求項４】
前記積層体の前記帯状領域と前記外縁端との間の領域の少なくとも一部において、前記積層体に含まれる複数の層のうちの少なくとも１枚の層に固着された前記積層体に含まれないシート状体である補強層を備える
請求項１乃至３のいずれかに記載の静電型スピーカ。
【発明の詳細な説明】
【技術分野】
【０００１】
本発明は、静電型スピーカに関する。
【背景技術】
【０００２】
静電型スピーカは、平面波により直進性の高い音を発生できるスピーカとして注目されている。
【０００３】
静電型スピーカは、導電性を伴うシート形状の振動体の両側の各々に、絶縁性のスペーサを挟んで、導電性を伴うシート形状の電極を配置した構造を備えている。なお、電極は振動体の振動を妨げないように、空気の移動経路として内側面と外側面とを貫通する多数の貫通孔を備える必要があり、例えば導電性繊維で織られた織物やパンチングメタルシートなどが用いられる。
【０００４】
振動体と２枚の電極の各々との間に直流バイアス電圧を印加するとともに、２枚の電極間に音波形に応じた交流電圧の駆動信号を印加すると、クーロンの法則に従い振動体と電極との間に駆動信号に応じた駆動力が生じ、その駆動力により２枚の電極間で振動する振動体が音圧を発生する。その結果、音波形に応じた発音が行われる。
【０００５】
振動体を２枚の電極間で振動させるためには、２枚の電極の各々が振動体に隔離配置される必要がある。そのため、振動体と２枚の電極の各々との間には、絶縁性、空気透過性および弾性を備える緩衝材層が配置される。緩衝材層として、例えばＰＥＴ（ｐｏｌｙｅｔｈｙｌｅｎｅ  ｔｅｒｅｐｈｔｈａｌａｔｅ：ポリエチレンテレフタレート）の不織布が利用可能である。
【０００６】
上記のように、振動体の両側に緩衝材層が配置され、その外側に電極が配置された複数のシート状体の積層体がそのまま外部に露出すると、ユーザが電極に触れて感電したり、ゴミが電極もしくは振動体に付着して電極と振動体との間の放電やリークを誘発したりする。それらの問題を回避するために、２枚の電極の各々の外側には通常、カバー層が配置される。カバー層としては、例えばＰＥＴフィルムが利用可能である。ＰＥＴフィルムは防水性も備えるため、固体のゴミに加え、液体や湿気の内部への侵入を防ぎ、電極や振動体の導電層の腐食なども防止する。
【０００７】
上記のカバー層はペン先などの衝突や、高温になったランプなどの接触により容易に破損するため、上記のカバー層のさらに外側に、難燃性やクッション性を備えた外側カバー層がさらに配置される場合もある。そのような目的の外側カバー層としては、例えば難燃性の不織布が利用可能である。
【０００８】
上記のカバー層は、内部に収容される電極および振動体を保護するために、袋状に形成される必要がある。その際、カバー層は振動体の振動に必要な空気層を内部に保持するために、また外部から内部への湿気などの侵入を防ぐために、気密に封止される必要がある。
【０００９】
積層された複数の合成樹脂のシートの外縁領域を互いに密封するように固着する技術として広く普及しているものとしては、接着剤によりそれらのシートを接着する方法と、熱により合成樹脂を溶融した後に冷却することでシート間を溶着させる方法、すなわちヒートシール（熱溶着）がある。
【００１０】
接着剤による場合、一方のシートに接着剤を塗布し、他方のシートを速やかに位置決めして接着剤の塗布されたシート上に配置し、接着部分を押圧した後、接着剤の硬化を待つ、といった工程を経るため、工程が複雑かつ時間を要する。さらに、ｎ枚のシートの積層体を全て接着剤により固着させるためには、上記の工程を（ｎ−１）回行う必要がある。
【００１１】
それに対し、ヒートシールによれば、予め位置決めして積層しておいたシートに対し、帯状のヒーターを押し当てて加熱することでシート間の固着が完了する。溶融された合成樹脂が冷却され硬化するために要する時間は一般的に接着剤の硬化時間よりも短時間であるとともに、ｎ枚のシートの積層体を全て固着するために要する工程は、２枚のシートを固着するために要する工程と同じく、１度、ヒーターを押し当てて加熱するだけでよい。従って、一般的にヒートシールは接着剤による場合と比較し、合成樹脂のシートの積層体を互いに固着する方法として低コストである。
【００１２】
ヒートシールにより合成樹脂のシート間の溶着を行う技術を開示するものとして、例えば特許文献１がある。特許文献１においては、互いに溶着されるべき２枚の合成樹脂層の結晶融点の差と、結晶融点が低い方の合成樹脂層の厚みおよび厚み比率の最適値を特定することにより、ヒートシールにおける密封性不良を低減する技術が提案されている。
【先行技術文献】
【特許文献】
【００１３】
【特許文献１】特開平９−８５９１１号公報
【発明の概要】
【発明が解決しようとする課題】
【００１４】
静電型スピーカは、例えば広く普及しているダイナミック型スピーカと比較し、その厚さを薄くすることが容易な構造を備えている。例えば、振動体、緩衝材層、電極、防水層、カバー層の全てを薄い可撓性シートで形成することにより、折り畳みや巻き取りが可能なシート状のスピーカを製造することもできる。
【００１５】
シート状のスピーカは、例えば、カバー層に対し広告画像を印刷し、広告内容を音声で案内することにより、視聴覚に訴える広告媒体として利用可能である。そのような用途においては、広告効果が落ちてきた広告を新たな広告と取り替えるため、スピーカそのものを取り替える必要がある。従って、特にそのような用途に利用されるシート状の静電型スピーカにおいては、低コスト化が求められる。
【００１６】
ヒートシールは、積層された緩衝材層、防水層、カバー層、といった合成樹脂のシート群の外縁部分を互いに固着し、密封された袋状に形成するための低コストな方法として優れている。
【００１７】
しかしながら、それらの合成樹脂のシートをヒートシールにより溶融・冷却した場合、溶融前に各シートが有していた繊維構造あるいは延伸による強度が失われるとともに、複層であったそれらのシートが単層となるため、多くの場合、シールされた領域における折り曲げや引っ張りに対する強度が低下する。そのため、静電型スピーカを構成する合成樹脂のシート群をその外縁部分においてヒートシールにより密封固着した場合、静電型スピーカの使用に伴う外部からの衝撃などにより、シールされた外縁部分が破損しやすいという問題が生じる。
【００１８】
この問題を解消するため、例えば互いに固着されるべき２枚のシートの間にそれらのシートの融点より低い融点のシートを接着層として挟み、固着されるべき２枚のシートの融点より低く、接着層の融点より高い温度でヒートシールすることが考えられる。その場合、接着層のみが溶融し、その両側に接する２枚のシートと固着する結果、固着されるべき２枚のシートが接着層を介して互いに固着される。
【００１９】
ただし、接着層を用いたヒートシールは、接着層の厚さ分だけ積層体全体の厚さが増すとともに、接着層のコスト分だけ積層体全体のコストが増す、という問題がある。また、積層体に接着層が加わることにより、振動体により発生される音の放音が妨げられ、音響特性が悪化する、という問題もある。従って、接着層による積層体の固着は、低コストで厚さが薄く、かつ高音質な音の再生が求められる静電型スピーカの積層体の製造には適さない。
【００２０】
本発明は、上述した背景の下になされたものであり、静電型スピーカを構成する合成樹脂シートの積層体をその外縁領域において密封固着する際に生じる固着部分の強度低下による破損を低減するための手段を提供することを目的とする。
【課題を解決するための手段】
【００２１】
上述した課題を解決するために本発明は、
導電性および可撓性を有するシート状体である振動体と、
前記振動体を挟んで互いに対向する位置に配置された絶縁性、空気透過性および弾性を有するシート状体である第１の緩衝材層および第２の緩衝材層と、
前記第１の緩衝材層を挟んで前記振動体に対向する位置に配置された導電性、空気透過性および可撓性を有するシート状体である第１の電極と、
前記第２の緩衝材層を挟んで前記振動体に対向する位置に配置された導電性、空気透過性および可撓性を有するシート状体である第２の電極と、
前記第１の電極を、前記第１の電極の前記第１の緩衝材層に対向しない側から覆うように配置された絶縁性を有するシート状体である第１のカバー層と、
前記第２の電極を、前記第２の電極の前記第２の緩衝材層に対向しない側から覆うように配置された絶縁性を有するシート状体である第２のカバー層と
を備え、
少なくとも前記第１のカバー層および前記第２のカバー層を含む複数の層の積層体の外縁端の全周と、前記外縁端の全周から所定距離だけ内側の境界線の全周との間の領域として画定される外縁領域内において一周する所定幅以上の帯状領域において、前記積層体に含まれる複数の層のうち互いに隣接する２枚の層の各々に関し、当該２枚の層が互いに固着され、
前記積層体の前記外縁端における強度は、前記積層体の前記帯状領域における強度より高い
静電型スピーカ
を第１の実施態様として提案する。
【００２２】
また、本発明は、上記の第１の実施態様にかかる静電型スピーカにおいて、
前記固着はヒートシールによる固着である
という構成を第２の実施態様として提案する。
【００２３】
また、本発明は、上記の第１または第２の実施態様にかかる静電型スピーカにおいて、
前記積層体に含まれる複数の層のうち互いに隣接する２枚の層のうち少なくとも１組の２枚の層に関し、前記外縁端において固着が行われていない
という構成を第３の実施態様として提案する。
【００２４】
また、本発明は、上記の第１乃至第３のいずれかの実施態様にかかる静電型スピーカにおいて、
前記積層体の前記帯状領域と前記外縁端との間の領域の少なくとも一部において、前記積層体に含まれる複数の層のうちの少なくとも１枚の層に固着された前記積層体に含まれないシート状体である補強層を備える
という構成を第４の実施態様として提案する。
【発明の効果】
【００２５】
本発明によれば、静電型スピーカを構成するカバー層を含む積層体の外縁領域を密封固着した際、固着された領域に強度低下が生じても、強度低下を生じた領域の外側に強度の高い領域が設けらるため、外部からの衝撃を受けやすい外縁端部において容易に破損が生じることがない。
【図面の簡単な説明】
【００２６】
【図１】図１は、本発明の一実施形態にかかる静電型スピーカの上面図である。
【図２】図２は、本発明の一実施形態にかかる静電型スピーカの断面図である。
【図３】図３は、本発明の一実施形態にかかる静電型スピーカにおけるヒートシールによる固着が行われている領域を示した図である。
【図４】図４は、本発明の一実施形態にかかる積層体に対しヒートシールを行う工程の一例を示した図である。
【図５】図５は、本発明の一実施形態にかかる積層体に対しヒートシールを行う工程の一例を示した図である。
【図６】図６は、本発明の一実施形態にかかる静電型スピーカを駆動するための駆動回路と、本発明の一実施形態に係る静電型スピーカの部材のうち駆動回路からの電圧の印加を受けるための部材とを示した図である。
【図７】図７は、本発明の実施形態の一変形例にかかる積層体のヒートシールの工程およびその結果得られる積層体の構成を示した図である。
【図８】図８は、本発明の実施形態の一変形例にかかる積層体のヒートシールの工程およびその結果得られる積層体の構成を示した図である。
【図９】図９は、本発明の実施形態の一変形例にかかる静電型スピーカの断面図である。
【発明を実施するための形態】
【００２７】
［実施形態］
図１は、本発明の一実施形態にかかる静電型スピーカ１の上面図、図２は、図１のＡ−Ａ線断面図である。
【００２８】
なお、図１および図２においては、直交するＸ軸、Ｙ軸およびＺ軸で方向を示しており、図２に示される静電型スピーカ１の断面を正面から見たときの左右方向をＸ軸の方向、奥行き方向をＹ軸の方向、高さ方向をＺ軸の方向としている。また、図中、「○」の中に「・」が記載されたものは図面の裏から表に向かう矢印を意味するものとする。また、図中、「○」の中に「×」が記載されたものは図面の表から裏に向かう矢印を意味するものとする。
【００２９】
また、図中の各部材の寸法は、各部材の形状や位置関係を容易に理解できるように実際の寸法とは異ならせており、特に高さ方向（Ｚ軸の方向）の長さを実際よりも長く示している。
【００３０】
図１および図２に示されるように、静電型スピーカ１は、駆動回路２（後述）からの電圧の印加により駆動され放音を行う放音部１１と、放音部１１を収納する内側カバー１２および外側カバー１３と、駆動回路２と放音部１１とを電気的に接続するリード線である３本のケーブル１４（ケーブル１４Ａ、ケーブル１４Ｂおよびケーブル１４Ｃ）と、駆動回路２が備えるコネクター２４（後述）と互いに係合されてケーブル１４と駆動回路２との電気的な接続を確立するコネクター１５とを備えている。
【００３１】
放音部１１は、振動体１１１と、振動体１１１の上下に各々配置された電極１１２Ｕおよび電極１１２Ｌと、振動体１１１と電極１１２Ｕおよび電極１１２Ｌとの間に各々配置された緩衝材層１１３Ｕおよび緩衝材層１１３Ｌとを備えている。すなわち、電極１１２Ｕは緩衝材層１１３Ｕにより振動体１１１に対し離間配置され、電極１１２Ｌは緩衝材層１１３Ｌにより振動体１１１に対し離間配置されている。
【００３２】
なお、電極１１２Ｕおよび電極１１２Ｌのように、同一の数字（または数字＋英小文字）に「Ｕ」または「Ｌ」を付加した符号の付された部材は、互いに構成が同一の部材であり、「Ｕ」の付されたものが図１における上側、「Ｌ」の付されたものが図１における下側に配置された部材であることを示す。また、「Ｕ」の付された部材と「Ｌ」の付された部材とを区別不要な場合には、「Ｌ」および「Ｕ」の記載を省略し、単に「電極１１２」のように記載する。
【００３３】
放音部１１を構成する部材群のうち、振動体１１１と電極１１２はＺ軸方向から見た場合の大きさおよび形状が概ね同一である。一方、緩衝材層１１３Ｕおよび緩衝材層１１３ＬはＺ軸方向から見た場合の形状は概ね矩形である点で振動体１１１および電極１１２と共通しているが、その大きさ、すなわちＸ軸方向およびＹ軸方向の長さが振動体１１１および電極１１２の長さより長い。
【００３４】
振動体１１１および電極１１２は、それらの外縁部全周、すなわちＸ軸方向の外縁端部から所定幅の帯状の領域およびＹ軸方向の外縁端部から所定幅の領域において、上下に接する緩衝材層１１３に対し接着剤により接着されることで位置決めされている。
【００３５】
振動体１１１は、Ｚ軸方向から見て概ね矩形のＰＥＴまたはＰＰ（ｐｏｌｙｐｒｏｐｙｌｅｎｅ：ポリプロピレン）などの絶縁性および可撓性を有する合成樹脂のフィルム（絶縁層）の一方の面に導電性を持つアルミニウム等の金属を蒸着して導電層を形成したシート状体である。
【００３６】
電極１１２は、振動体１１１と同様に、Ｚ軸方向から見て概ね矩形のＰＥＴまたはＰＰなどの絶縁性を有する合成樹脂のフィルム（絶縁層）の一方の面に導電性を持つアルミニウム等の金属を蒸着して導電層を形成したシート状体である。
【００３７】
電極１１２には、振動体１１１と異なり、表面と裏面とを貫通する多数の貫通孔が設けられている。これらの貫通孔は振動体１１１の振動に伴う主にＺ軸方向における空気の移動経路として機能する。
【００３８】
緩衝材層１１３は、Ｚ軸方向から見て概ね矩形のシート状のＰＥＴ不織布などであり、絶縁性を備えるとともに、不特定方向に各々延伸する多数の繊維の間に形成される空隙を介して一方の面と他方の面との間の空気の移動が可能となっている。また、緩衝材層１１３は弾性を有し、振動体１１１の振動に伴い振動体１１１から力を加えられると変形し、その力が除去されると元の形状に戻る。
【００３９】
内側カバー１２は、Ｚ軸方向から見て概ね矩形のＰＥＴフィルムなどの防水性・防湿性を備えた合成樹脂のシートである。内側カバー１２をＺ軸方向から見た場合の大きさおよび形状は緩衝材層１１３の大きさおよび形状と概ね同一である。内側カバー１２は、主に放音部１１に対する液体および湿気の侵入を防ぐ役割を果たす。
【００４０】
外側カバー１３は、Ｚ軸方向から見て概ね矩形の難燃不織布などの難燃性およびクッション性を備えた合成樹脂のシートである。外側カバー１３をＺ軸方向から見た場合の大きさおよび形状は緩衝材層１１３の大きさおよび形状と概ね同一である。外側カバー１３は、主に外部の衝撃から内側カバー１２および放音部１１を保護する役割を果たす。
【００４１】
既述のように、緩衝材層１１３、内側カバー１２および外側カバー１３は、Ｚ軸方向から見た場合の大きさおよび形状が概ね同一であり、図２における下から上に向かい、外側カバー１３Ｌ、内側カバー１２Ｌ、緩衝材層１１３Ｌ、緩衝材層１１３Ｕ、内側カバー１２Ｕ、外側カバー１３Ｕの順に積層されている。以下、これらの積層されたシート群を積層体Ｌと呼ぶ。積層体Ｌは、その外縁領域において隣接する他のシートと直接接しているが、その内部領域においては、内側カバー１２Ｌと緩衝材層１１３Ｌの間に電極１１２Ｌを、緩衝材層１１３Ｌと緩衝材層１１３Ｕの間に振動体１１１を、また緩衝材層１１３Ｕと内側カバー１２Ｕの間に電極１１２Ｕを、それぞれ挟んだ状態で互いに対向している。
【００４２】
積層体Ｌ、すなわち緩衝材層１１３、内側カバー１２および外側カバー１３を含む積層体は、その外縁端から所定距離だけ内側を一周する所定幅の矩形の帯状領域（「ロ」の字形状の領域）において、ヒートシールにより互いに隣接する２枚のシートが溶融・冷却を経て結合し、一体となることで互いに固着されている。
【００４３】
図３は、静電型スピーカ１におけるヒートシールによる固着が行われている領域を示した図である。図３において、ヒートシールによる固着が行われている領域は帯状領域ａとして示されている。帯状領域ａは、積層体Ｌの外縁端の全周と、外縁端の全周から所定距離だけ内側かつ積層体Ｌの外縁端より内側に位置する境界線（図３において破線により示される線）との間の領域として画定される外縁領域ｆ内において、所定幅ｗで一周し全体として「ロ」の字形状をなす帯状領域である。
【００４４】
帯状領域ａにおいて積層体Ｌが一周に渡りシール（密封固着）されることにより、その内側に収容される振動体１１１および電極１１２が外部から水密および気密に封止されている。そのため、放音部１１が収容される内部へゴミ、液体、湿気などが侵入することがない。
【００４５】
積層体Ｌの帯状領域ａの部分は、積層体Ｌに含まれるシートの各々が備えていた繊維構造が溶融により無くなり、さらに隣接する他のシートと一体化することにより、全体として単層となっている。従って、積層体Ｌの帯状領域ａ以外の部分と比較し、帯状領域ａの部分は折り曲げや引っ張りに対する強度が低くなっている。
【００４６】
しかしながら、静電型スピーカ１においては、図３に示されるように、帯状領域ａの外縁端は積層体Ｌの外縁端より内側に位置しており、強度低下の生じている帯状領域ａの部分が積層体Ｌの外縁端に露出していない。すなわち、積層体Ｌにおいては、外部からの衝撃などを受けやすい外縁端において積層体Ｌに含まれる複数のシートの各々が備える繊維構造が維持され、かつ、それら複数のシートが積層されてなる複層構造が維持されているため、受ける衝撃などによって容易に破損することがない。
【００４７】
図４は、積層体Ｌに対し帯状領域ａにおけるヒートシールを行う工程の一例を示した図である。図４に例示の工程においては、まず、積層体Ｌの４辺のうちの１辺を選択し、その１辺の両端に位置する角部の各々に、ガラスクロスやＳＵＳ（Ｓｔａｉｎｌｅｓｓ  Ｓｔｅｅｌ、ステンレス鋼）板などの低熱伝導性シートＩを上から載置する（図４左図）。
【００４８】
続いて、角柱形状のヒーターであるヒートシールヒーターＨを、その長手方向が積層体Ｌの１辺（その両端に低熱伝導性シートＩを配置した１辺）と平行となるように、またその長手方向がその１辺から所定距離だけ積層体Ｌの内側に位置するように位置決めした後、積層体Ｌに対し上から所定時間、押圧する（図４中央図）。
【００４９】
その後、ヒートシールヒーターＨおよび低熱伝導性シートＩを積層体Ｌから取り外すと、「ロ」の字形状の帯状領域ａの１辺におけるヒートシールが完了する（図４右図）。
【００５０】
以上の工程に従った処理を、積層体Ｌの他の３辺の各々に関して繰り返すことで、図３に示したような帯状領域ａにおけるヒートシールが完了する。
【００５１】
図５は、積層体Ｌに対し帯状領域ａにおけるヒートシールを行う工程の他の一例を示した図である。図５に例示の工程においては、Ｚ軸方向から見て「ロ」の字形状のヒートシールヒーターＨが用いられる（図５左図）。積層体Ｌに対するヒートシールヒーターＨの位置決めを行った後、積層体Ｌに対し上からヒートシールヒーターＨを所定時間、押圧し、その後、ヒートシールヒーターＨを積層体Ｌから取り外す。その結果、図３に示したような帯状領域ａにおけるヒートシールが完了する（図５右図）。
【００５２】
再び図１を参照しつつ、静電型スピーカ１を構成する部材の説明を続ける。静電型スピーカ１は、既述のように、放音部１１に対する駆動回路２からの電圧の印加を受けるための部材として、ケーブル１４Ａ、ケーブル１４Ｂ、ケーブル１４Ｃおよびコネクター１５を備えている。図６は、静電型スピーカ１を駆動するための駆動回路２と、静電型スピーカ１の部材のうち駆動回路２からの電圧の印加を受けるための部材とを示した図である。
【００５３】
図６に示されるように、ケーブル１４Ａの一端はカバー１２に収納された電極１１２Ｕの導電層に、ケーブル１４Ｂの一端はカバー１２に収納された電極１１２Ｌの導電層に、また、ケーブル１４Ｃの一端はカバー１２に収納された振動体１１１の導電層に、各々接続されている。また、ケーブル１４Ａ、ケーブル１４Ｂおよびケーブル１４Ｃの他端は、各々、コネクター１５の１番端子、３番端子、２番端子に接続されている。
【００５４】
図６に示されるように、駆動回路２は、増幅器２１、変圧器２２、バイアス電源２３およびコネクター２４を備えている。
【００５５】
増幅器２１は、外部から入力される交流の音響信号を増幅して出力する装置であり、その出力端子が変圧器２２の一次側コイルに接続されている。すなわち、増幅器２１で増幅された交流の音響信号は変圧器２２へ供給される。
【００５６】
変圧器２２の二次側コイルのセンタータップは駆動回路２のグラウンドＧＮＤに接続されている。また、変圧器２２の二次側コイルの一方の端子はコネクター２４の１番端子に、他方の端子はコネクター２４の３番端子に、各々接続されている。
【００５７】
バイアス電源２３は、振動体１１１に対して直流でプラスのバイアス電圧を印加するための電源であり、マイナス側は駆動回路２のグラウンドＧＮＤに、プラス側は保護抵抗として機能する抵抗器Ｒを介してコネクター２４の２番端子に、各々接続されている。
【００５８】
コネクター２４は、静電型スピーカ１のコネクター１５と互いに係合し、駆動回路２と静電型スピーカ１との間の電気的な接続を確立する。上述のように、コネクター２４の１番端子には変圧器２２の一方の端子が、３番端子には変圧器２２の他方の端子が、２番端子には抵抗器Ｒを介してバイアス電源２３が、各々接続されている。
【００５９】
静電型スピーカ１のコネクター１５と駆動回路２のコネクター２４が互いに係合すると、各コネクターの同じ番号の端子間が電気的に接続される。その結果、変圧器２２の一方の端子は電極１１２Ｕの導電層に、変圧器２２の他方の端子は電極１１２Ｌの導電層に、バイアス電源２３は振動体１１１の導電層に、各々接続される。
【００６０】
コネクター１５およびコネクター２４が係合されると、直流で例えばプラスの所定電圧のバイアス電圧が振動体１１１に印加される。駆動回路２に外部から音響信号が入力されない状態においては、電極１１２Ｕと電極１１２Ｌとの間に印加される電圧は０Ｖである。
【００６１】
駆動回路２に交流の音響信号が入力されると、入力された音響信号が増幅器２１により増幅された後、変圧器２２の一次側に供給され、変圧器２２で昇圧されて、電極１１２Ｕおよび電極１１２Ｌに供給される。その際、電極１１２Ｕに対し供給される音響信号と、電極１１２Ｌに対し供給される音響信号とは振幅が同じで極性が逆の信号である。
【００６２】
すなわち、増幅器２１にプラスの音響信号が入力されると、電極１１２Ｕにはプラスの電圧が印加され、電極１１２Ｌにはそれと同じ振幅のマイナスの電圧が印加される。その場合、振動体１１１と電極１１２Ｕとの間の静電引力が弱まる一方、振動体１１１と電極１１２Ｌとの間の静電引力が強くなる。その結果、振動体１１１はそれらの静電引力の差に応じて電極１１２Ｌ側（Ｚ軸の負方向）へと変位する。
【００６３】
また、増幅器２１にマイナスの音響信号が入力されると、電極１１２Ｕにマイナスの電圧が印加され、電極１１２Ｌにはそれと同じ振幅のプラスの電圧が印加される。その場合、振動体１１１と電極１１２Ｌとの間の静電引力が弱まる一方、振動体１１１と電極１１２Ｕとの間の静電引力が強くなる。その結果、振動体１１１はそれらの静電引力の差に応じて電極１１２Ｕ側（Ｚ軸の正方向）へと変位する。
【００６４】
このように、増幅器２１に入力される音響信号に応じて振動体１１１がＺ軸の正方向と負方向への変位を繰り返すことで振動し、その振動状態（振動数、振幅、位相）に応じた音波が振動体１１１から音として放出される。
【００６５】
以上が本発明の一実施形態にかかる静電型スピーカ１および静電型スピーカ１を駆動する駆動回路２の構成および動作の説明である。
【００６６】
上述したように、静電型スピーカ１が備える放音部１１は、外縁領域ｆ内における一周に渡るヒートシールにより外部に対し密封された積層体Ｌ内に収容されている。ヒートシールによる積層体Ｌのシール処理は接着剤などを用いる他の処理と比較して低コストであるため、静電型スピーカ１を製造コストを抑えることができる。
【００６７】
また、積層体Ｌのヒートシールにおいて、例えば低融点の接着層の付加は要しないため、接着層の付加に伴うコスト高や音響特性の悪化、積層体Ｌの厚さの増大、といった問題が静電型スピーカ１に伴うことはない。
【００６８】
また、ヒートシールが施された帯状領域ａにおいては強度低下が生じるが、帯状領域ａが積層体Ｌの外縁端に露出していないため、外部からの衝撃などにより静電型スピーカ１が容易に破損することはない。
【００６９】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、不整合の生じない範囲で各々組み合わされてもよい。
【００７０】
（第１変形例）
図７は、本発明の実施形態の第１変形例にかかる積層体Ｌのヒートシールの工程およびその結果得られる積層体Ｌの構成を示した図である。
【００７１】
第１変形例にかかる積層体Ｌには、上述した実施形態における積層体Ｌに含まれる緩衝材層１１３、内側カバー１２および外側カバー１３に加え、４枚のガラスクロス１６が含まれる。
【００７２】
４枚のガラスクロス１６の各々は、例えば直角二等辺三角形にカットされたガラスクロスであり、例えば緩衝材層１１３Ｌと緩衝材層１１３Ｕとの間に、Ｚ軸方向から見て積層体Ｌの４つの角部に各々沿うように、積層体Ｌ内に積層されている（図７（ａ）左図）。
【００７３】
上記のように４枚のガラスクロス１６が角部に積層された積層体Ｌに対し、角柱形状のヒーターであるヒートシールヒーターＨを、その長手方向が積層体Ｌの１辺と平行となるように、またその長手方向がその１辺から所定距離だけ積層体Ｌの内側に位置するように位置決めした後、積層体Ｌに対し上から所定時間、押圧する（図７（ａ）中央図）。
【００７４】
その後、ヒートシールヒーターＨを積層体Ｌから取り外すと、積層体Ｌの１辺に沿って互いに対向する２辺間を貫く帯状領域におけるヒートシールが完了する（図４右図）。
【００７５】
以上の工程に従った処理を、積層体Ｌの他の３辺の各々に関して繰り返すことで、図７（ｂ）に示すような「井」の字形状の帯状領域ａにおけるヒートシールが完了する。
【００７６】
変形例１にかかる積層体Ｌにおいては、ヒートシールが施されて強度低下が生じている帯状領域ａのうち、図７（ｂ）において端部ｄで示す部分が積層体Ｌの外縁端に露出している。しかしながら、端部ｄにはガラスクロス１６が配置されており、ガラスクロス１６はヒートシールによって溶融せず高い強度を備えるため、端部ｄにおける強度低下は生じない。
【００７７】
従って、第１変形例にかかる積層体Ｌによっても、低コストで音響特性の悪化を伴わず、耐久性の高い静電型スピーカ１が実現される。
【００７８】
なお、第１変形例にかかる積層体Ｌにおいて、また、ガラスクロス１６が積層体Ｌの積層方向における配置位置は、緩衝材層１１３Ｌと緩衝材層１１３Ｕの間に限られず、例えば緩衝材層１１３Ｕと内側カバー１２Ｕとの間、内側カバー１２Ｕと外側カバー１３Ｕとの間、外側カバー１３Ｕの外側など、いずれの位置に配置されてもよい。
【００７９】
また、ガラスクロス１６を積層体Ｌの積層方向に２枚以上、配置してもよい。ただし、ガラスクロス１６の付加は積層体Ｌの角部における厚さを増大させ、またコストも増大させるため、１枚のガラスクロス１６により十分な強度が得られる場合は、積層体Ｌの積層方向におけるガラスクロス１６の枚数は少ない方が望ましい。
【００８０】
また、ガラスクロス１６に代えて、合成樹脂と比較し高融点かつ高強度な他の素材のシート状体が採用されてもよい。
【００８１】
（第２変形例）
図８は、本発明の実施形態の第２変形例にかかる積層体Ｌのヒートシールの工程およびその結果得られる積層体Ｌの構成を示した図である。
【００８２】
第２変形例にかかる積層体Ｌには、帯状領域ａにおけるシールに加え、積層体Ｌの帯状領域ａより外側の領域である帯状領域ｂにおけるシールが施されている（図８（ｂ））。帯状領域ｂにおけるシールは、帯状領域ａにおけるシールよりも低温で行われている。そのため、帯状領域ｂにおいては、積層体Ｌに含まれる複数のシートの繊維構造が一部維持されており、また互いに隣接するシート間がその表面領域において一部溶着されているが、複層の状態が少なくとも一部領域において保たれている。
【００８３】
その結果、帯状領域ｂにおける密封性は帯状領域ａにおける密封性よりも低いが、帯状領域ｂにおける強度は積層体Ｌにおける帯状領域ａ以外の領域における強度と概ね同等の強度が保たれている。そのため、第２変形例にかかる積層体Ｌによっても、低コストで音響特性の悪化を伴わず、耐久性の高い静電型スピーカ１が実現される。
【００８４】
なお、第２変形例にかかる積層体Ｌは、以下に説明するように、上述の実施形態にかかる積層体Ｌにおける場合と比較し、ヒートシールに２倍の工程を要するため、コスト面からは上述の実施形態にかかる積層体Ｌに対し劣るが、積層体Ｌの外縁部が１束の積層体としてまとまっているため、外観上望ましい、積層体Ｌの外縁部にゴミなどが付着しにくい、などの優れた点を持つ。
【００８５】
第２変形例にかかる積層体Ｌは、まず、帯状領域ｂに対し「ロ」の字形状のヒートシールヒーターＨ１を所定時間、押圧した後（図８（ａ）左図）、帯状領域ａに対し、ヒートシールヒーターＨ１よりもサイズが小さい「ロ」の字形状のヒートシールヒーターＨ２をヒートシールヒーターＨ１よりも高温で所定時間、押圧することで（図８（ａ）右図）、製造される。
【００８６】
なお、上記の製造工程において、帯状領域ｂに対するヒートシールの工程と、帯状領域ａに対するヒートシールの工程の順序を逆にしてもよい。また、ヒートシールヒーターＨ１がヒートシールヒーターＨ２の外側に配置された構造を備えるヒートシールヒーターにより、帯状領域ｂに対するヒートシールの工程と、帯状領域ａに対するヒートシールの工程とが同時に行われてもよい。
【００８７】
また、上記の第２変形例においては、帯状領域ａと帯状領域ｂとの２つの領域における温度を異ならせることにより、それらの領域間の強度低下の程度を異ならせるものとしたが、例えば温度の差異に加えて、もしくはそれに代えて、ヒートシールヒーターの押圧時間や押圧の強さを異ならせることにより、２つの領域間の強度低下の程度を異ならせる工程が採用されてもよい。
【００８８】
また、上記の第２変形例においては、ヒートシールを施す領域を帯状領域ａと帯状領域ｂとの２つに区分するものとしたが、３つ以上の領域に区分したり、もしくは帯状領域ａと帯状領域ｂとの間に明確な境界線を設けることなく、内側から外側に向かい連続的に強度が上昇する構成が採用されてもよい。そのような構成の積層体Ｌは、例えば、帯状領域ａおよび帯状領域ｂを覆う「ロ」の字形状を備え、内側から外側に向かい加熱温度が低下する構成のヒートシールヒーターにより積層体Ｌに対しヒートシールを行うことにより製造される。
【００８９】
（その他の変形例）
以上、積層体Ｌの構成に関する変形例を述べたが、静電型スピーカ１の他の構成部に関しても、上述した実施形態において採用されているものと異なる様々な構成が本発明にかかる静電型スピーカにおいて採用可能である。例えば、振動体１１１、電極１１２、緩衝材層１１３、内側カバー１２および外側カバー１３の素材等は上述したものに限定されず、それらの機能を損なわない範囲で他の如何なる素材が採用されてもよい。
【００９０】
また、上述した実施形態および変形例においては、積層体Ｌを帯状領域ａにおいて密封固着する方法としてヒートシールが採用されるものとしたが、本発明はその点に関し限定されず、合成樹脂の複数のシート間を密封固着する際に当該固着部分において強度低下を生じる如何なる固着方法も、本発明にかかる静電型スピーカが備える積層体の製造における密封固着の方法として採用可能である。
【００９１】
例えば、一部の接着剤を用いた密封固着による場合においても、接着剤が接着対象の合成樹脂シートを溶かすことでそれらのシートの単層化を招き、強度低下をもたらす場合がある。また、硬化後の接着剤が柔軟性を欠く場合、硬化した接着剤が静電型スピーカ１の折り曲げや巻き取りに伴い破断され、それにともない積層体Ｌが破損する場合もある。これらの接着剤を用いた積層体Ｌの密封固着においても、その固着の領域を積層体Ｌの外縁端より内側に配置することで、静電型スピーカ１の耐久性を保つことができる。
【００９２】
また、上述した実施形態および変形例においては、静電型スピーカ１を構成する複数の合成樹脂のシート状体のうち、緩衝材層１１３、内側カバー１２および外側カバー１３がシール対象のシート状体として積層体Ｌを構成しているが、本発明はその点に関し限定されない。従って、例えば、必ずしも密封固着を要さない緩衝材層１１３を、Ｚ軸方向から見た場合の大きさおよび形状を振動体１１１および電極１１２の大きさおよび形状と概ね同一に構成し積層体Ｌの構成部材から除外し、内側カバー１２および外側カバー１３のみを積層体Ｌの構成部材としてシールした静電型スピーカ１が採用されてもよい。
【００９３】
また、上述した実施形態および変形例においては、静電型スピーカ１は、図２に示したように、その断面図における中央から外側に向かって、振動体１１１、緩衝材層１１３、電極１１２、内側カバー１２および外側カバー１３で構成されるものとしたが、静電型スピーカ１の構成部材の組み合わせはこれに限られず、振動体１１１の両側に隔離配置された２枚の電極１１２を含む放音部１１を上側および下側から各々覆うように配置される合成樹脂シートのカバーを備える構成であれば、他のどのような構成が採用されてもよい。
【００９４】
例えば、内側カバー１２と外側カバー１３の２種類のカバーを設ける代わりに、上下各１層のみのカバーを設ける構成が採用されてもよいし、必要に応じて他の構成部材を静電型スピーカ１の構成部材として追加してもよい。
【００９５】
図９は、そのような変形例にかかる静電型スピーカ１の断面図（図１におけるＡ−Ａ線断面図）である。本変形例にかかる静電型スピーカ１においては、図２に示した静電型スピーカ１が備える構成部材に対し、（１）振動体１１１と緩衝材層１１３との間にスペーサ１１４が、（２）緩衝材層１１３と電極１１２との間に緩衝材層１１５が、また（３）電極１１２と内側カバー１２との間に緩衝材層１７が、各々追加配置されている。
【００９６】
なお、スペーサ１１４は両面に接着層を備え、スペーサの役割に加え振動体１１１と緩衝材層１１３とを固定する役割を果たす。また、緩衝材層１１５はホットメルトシートであり、緩衝材の役割に加え、加熱・冷却により溶融・固化し、緩衝材層１１３と電極１１２とを固定する役割を果たす。
【００９７】
また、緩衝材層１１５をＺ軸方向から見た場合の大きさおよび形状は振動体１１１および電極１１２の大きさおよび形状と概ね同一であり、緩衝材層１４をＺ軸方向から見た場合の大きさおよび形状は緩衝材層１１３、内側カバー１２および外側カバー１３の大きさおよび形状と概ね同一である。従って、緩衝材層１４は緩衝材層１１３、内側カバー１２および外側カバー１３と共に積層体Ｌを構成し、シールされる。
【符号の説明】
【００９８】
１…静電型スピーカ、２…駆動回路、１１…放音部、１２…内側カバー、１３…外側カバー、１４…ケーブル、１５…コネクター、１６…ガラスクロス、１７…緩衝材層、２１…増幅器、２２…変圧器、２３…バイアス電源、２４…コネクター、１１１…振動体、１１２…電極、１１３…緩衝材層、スペーサ１１４、緩衝材層１１５
【図１】
0005729280.tif 000002
【図２】
0005729280.tif 000003
【図６】
0005729280.tif 000004
【図９】
0005729280.tif 000005
【図３】
0005729280.tif 000006
【図４】
0005729280.tif 000007
【図５】
0005729280.tif 000008
【図７】
0005729280.tif 000009
【図８】
0005729280.tif 000010